(57)【特許請求の範囲】
【請求項１】
無線基地局と基地局制御装置との間のフレーム同期方法において、
前記基地局制御装置内のチャネルカードごとに設けられた自走カウンタの自走フレーム番号を生成するステップと、
ユーザが使用する伝送経路のパスごとの接続位相を送信元から送られてくる送信フレーム番号から抽出するステップと、
前記パスごとの接続位相と前記自走カウンタの自走フレームとの位相差を用いて自己同期を確立するステップと、
を含むことを特徴とするフレーム同期方法。
【請求項２】
請求項１記載のフレーム同期方法において、
前記自己同期を確立するステップは、ユーザごとに前記自走フレームと前記受信フレーム番号との位相差分を計算してユーザオフセット値とすることを特徴とするフレーム同期方法。
【請求項３】
請求項１記載のフレーム同期方法において、
前記パスが複数存在する場合、一番遅れたパスに同期を合わせ受信フレーム同期を行うステップまたは一番早いパスに同期を合わせ送信フレーム同期を行うステップを更に含むことを特徴とするフレーム同期方法。
【請求項４】
請求項１記載のフレーム同期方法において、
前記パスに新たにパスが追加される場合、前記パスより遅いパス追加では受信フレーム同期を行うステップまたは前記パスより早いパス追加では送信フレーム同期を行うステップを更に含むことを特徴とするフレーム同期方法。
【請求項５】
無線基地局との間でフレーム同期を行う基地局制御装置において、  
前記基地局制御装置内のチャネルカードごとに設けられた自走カウンタと、
ユーザが使用する伝送経路であるパスごとの接続位相を送信元から送られてくる送信フレーム番号から抽出する手段と、
前記パスごとの接続位相と前記自走カウンタの自走フレームとの位相差を用いて自己同期を確立する手段と、
を有することを特徴とする基地局制御装置。
【発明の詳細な説明】
【技術分野】
【０００１】
本発明は、フレーム同期方法および基地局制御装置に関し、特に、基地局装置と基地局制御装置間のフレーム同期を行うフレーム同期方法および基地局制御装置として用いると好適である。
【背景技術】
【０００２】
通信事業者が設置する無線基地局は、電波を送受信して端末（移動機）との通信回線を確保し、基地局装置と端末間の通信のやり取りを行うとともに、基地局装置と基地局制御装置との間でフレーム同期の確立が行われる。
【０００３】
図８は、一般的な移動通信システム（Ｗ−ＣＤＭＡシステムの場合）の構成図である。同図において、１1 ，１2 は移動端末（ＭＳ：Mobile Station) 、２1 ，２2 は無線基地局装置（ＮｏｄｅＢ）、３1 ，３n-1 ，３n は無線ネットワーク制御装置（ＲＮＣ：Radio Network Controller）、４はマルチメディア信号処理装置（ＭＰＥ：Multimedia Processing Equipment）、５は移動マルチメディア交換システム（ＭＭＳ：Mobile Multimedia switching System）を示す。また、ＩｕｂとＩｕはプロトコル名であって、Ｉｕｂプロトコルは、無線基地局装置（ＮｏｄｅＢ）２1 ，２2 と無線ネットワーク制御装置（ＲＮＣ）３1 ，３n-1 ，３n 間のプロトコルであり、Ｉｕプロトコルは、無線ネットワーク制御装置（ＲＮＣ）３1 ，３n-1 ，３n と移動マルチメディア交換システム（ＭＭＳ）５間のプロトコルである。
【０００４】
Ｗ−ＣＤＭＡシステムでは、第三世代携帯電話システムについて標準化団体間のプロジェクトである３ＧＰＰ（Third Generation Partnership Project) のタイミング同期規定に従い、装置間の同期確立を行っている。
【０００５】
装置間によって同期方法が異なるが、ノードシンクロナイゼーション（Node Synchronization）で物理的な遅延量を測定し、トランスポートチャネルシンクロナイゼーション（Transport Channel Synchronization ）でユーザー個別のタイミング同期をとっている。
【０００６】
装置間のフレーム同期の目的は、この装置間の同期確立により、無線ネットワーク制御装置（ＲＮＣ）３1 ，３n-1 ，３nからは無線タイミングに合わせて無線基地局装置（ＮｏｄｅＢ）２1 ，２2へ送信することができるため、無線基地局装置（ＮｏｄｅＢ）２1 ，２2でのバッファ量を少なくすることができるからである。
【０００７】
もうひとつの目的は、ユーザーデータの秘匿の為にタイミング同期が必要になることであり、秘匿開始タイミング合わせ（秘匿アクティベーションタイム) のために必要とされる。
【０００８】
図９は、従来技術による無線基地局と基地局制御装置間のフレーム同期確立手順の説明図である。
【０００９】
（ａ）ノードシンクロナイゼーション
ノードシンクロナイゼーション（Node Synchronization）は、無線ネットワーク制御装置（ＲＮＣ）と無線基地局装置（ＮｏｄｅＢ）の装置間の初期同期を取るために使用される。すなわち、無線ネットワーク制御装置（ＲＮＣ）でのＲＦＮ（ＲＮＣフレームナンバー（カウンタ））と、無線基地局装置（ＮｏｄｅＢ）でのＢＦＮ（ノードＢフレームナンバー（カウンタ））との間での位相差を測定する。
【００１０】
同図において、無線ネットワーク制御装置（ＲＮＣ）は、無線基地局装置（ＮｏｄｅＢ）方向に向けて、ダウンリンクノードシンクロナイゼーション（DL Node Synchronization）制御フレームにＴ１（ＲＮＣがフレームを送信するときの時間）を載せて送信する。無線基地局装置（ＮｏｄｅＢ）は、ダウンリンクノードシンクロナイゼーションを受信次第、Ｔ１（ＲＮＣがフレームを送信するときの時間）に対するＴ２（ＮｏｄｅＢがダウンリンクノードシンクロナイゼーションを受信するときの時間）とＴ３（ＮｏｄｅＢがダウンリンクノードシンクロナイゼーションを送信するときの時間）を示して、アップリンクノードシンクロナイゼーション（UL Node Synchronization）制御フレームで応答する。
【００１１】
（ｂ）トランスポートチャネルシンクロナイゼーション
トランスポートチャネルシンクロナイゼーション（Transport Channel Synchronization）は、ノードシンクロナイゼーションベースで各通信毎の同期を取るために使用される。すなわち、無線ネットワーク制御装置（ＲＮＣ）と無線基地局装置（ＮｏｄｅＢ）との間でＣＦＮ（コネクションフレームナンバー（カウンタ））の同期を取る。
【００１２】
同図において、無線ネットワーク制御装置（ＲＮＣ）は、無線基地局装置（ＮｏｄｅＢ）方向に向けて、ＤＬノードシンクロナイゼーション制御フレームに基準となる無線送信タイミング（ＣＦＮ）を載せて送信する。無線基地局装置（ＮｏｄｅＢ）は、ＤＬノードシンクロナイゼーション制御フレームを受信次第、ＣＦＮに対する送信タイミングとＴ１（ＲＮＣがフレームを送信するときの時間）との位相差（ＴｏＡ：Time Of Arrival)を測定する。測定した位相差をＵＬノードシンクロナイゼーション制御フレームにＴｏＡを示して応答する。
【００１３】
（ｃ）タイミングアジャストメント
タイミングアジャストメント（Timing adjustment ）は、通信中の同期確立として、端末の移動などで位相差が発生したときに補正するために使われる。
【００１４】
同図において、無線ネットワーク制御装置（ＲＮＣ）から無線基地局装置（ＮｏｄｅＢ）方向に送信されたＤＬ  ＤＡＴＡフレームがＮｏｄｅＢの受信ウインドウから外れた場合、受信したＤＬ  ＤＡＴＡフレームと、ＮｏｄｅＢのＣＦＮ（コネクションフレームナンバー（カウンタ））に対する送信タイミングとＴ１（ＲＮＣがフレームを送信するときの時間）との位相差（ＴｏＡ）を示してＲＮＣに送信する。
【００１５】
図１０は、従来技術による基地局制御装置内におけるマスタフレームカウンタとチャネルカードとの関係を示す図である。同図において、６1 ，６2はそれぞれマスタフレームカウンタ＃１とマスタフレームカウンタ＃２であり、７1 ，７2 ，７3 ，７4はチャネルカード＃１, チャネルカード＃２, チャネルカード＃３, チャネルカード＃４である。なお、基地局制御装置は、図８に示すＷ−ＣＤＭＡシステムのＲＮＣ（Radio Network Controller）に相当する。
【００１６】
すなわち、マスタフレームカウンタは二重化構成をとっており、各チャネルカード７1 ，７2 ，７3 ，７4には、各チャネルのフレーム同期情報データが格納されている。マスタフレームカウンタ６1からは＃１系フレームカウンタ情報と＃１系制御信号が、各チャネルカード７1 ，７2 ，７3 ，７4に送信されるとともに、マスタフレームカウンタ６2からは＃２系フレームカウンタ情報と＃２系制御信号が、各チャネルカード７1 ，７2 ，７3 ，７4に送信される。
【００１７】
このように、従来では、基地局制御装置内の唯一の基準ＲＦＮ（ＲＮＣ装置内に保有するフレームカウンタから得られたＲＮＣのフレームナンバー）と、無線基地局の唯一の基準ＢＦＮ（ＮｏｄｅＢ装置内に保有するフレームカウンタから得られたＮｏｄｅＢのフレームナンバー）から、実際の通信に使う共通に認識できるＣＦＮ（ＲＦＮとＢＦＮの位相から決めた、ＲＮＣ装置とＮｏｄｅＢ間共通のフレームナンバー）を決めて同期確立を行っていた。
【００１８】
この一般的な従来方法においては、複数の基地局制御装置に高精度のマスタフレームカウンタを装置共通に設けることにより、フレーム同期確立の一元管理が期待できることである。
【００１９】
また、第３世代移動体通信システムのヨーロッパ標準であるＵＭＴＳ地上無線アクセスネットワークでの異なるプロトコル間の同期方法として、第１のプロトコルでのタイミングが接続フレーム番号（ＣＦＮ）により制御され、第２のプロトコルでのタイミングがフレーム番号（ＦＮ）により制御されるアップリンク同期の方法であって、第１のプロトコルのフレーム番号に基づいて第２のプロトコルにフレーム番号を与える発明が知られている。（例えば、特許文献１参照）
この従来方法においては、プロトコル載せ替えの遅延削減や、それに関わるバッファ等の削減が期待できることである。
【特許文献１】特表２００４−５３３１９１号公報
【発明の開示】
【発明が解決しようとする課題】
【００２０】
本発明は、無線基地局と基地局制御装置間のフレーム同期において、基地局制御装置側には装置共通のマスタフレームカウンタを持たずにフレーム同期を行うことにより、マスタフレームから、各カードにカウンタ値を伝達する経路や制御を必要とせず、装置間のフレーム同期確立手順を省くことができるフレーム同期方法およびフレーム同期制御の移動通信システムを提供することを目的とする。
【課題を解決するための手段】
【００２１】
上記課題を解決するための第１の発明は、無線基地局と基地局制御装置との間のフレーム同期方法において、前記基地局制御装置内のチャネルカードごとに設けられた自走カウンタの自走フレーム番号を生成するステップと、ユーザが使用する伝送経路のパスごとの接続位相を送信元から送られてくる送信フレーム番号から抽出するステップと、前記パスごとの接続位相と前記自走カウンタの自走フレームとの位相差を用いて自己同期を確立するステップと、を含んでいる。
【００２２】
この第１の発明によれば、装置間のフレーム同期確立手順を省くことができ、同期追従性の良いフレーム同期方法を提供できる。
【００２３】
第２の発明は、第１の発明に記載のフレーム同期方法において、前記自己同期を確立するステップは、ユーザごとに前記自走フレームと前記受信フレーム番号との位相差分を計算してユーザオフセット値とする。
【００２４】
この第２の発明によれば、位相のずれを補正するユーザオフセット値（補正値）を設定し、相手受信フレームを受信する度に更新し、最新状態に保つことができるフレーム同期方法を提供できる。
【００２５】
第３の発明は、第１の発明に記載のフレーム同期方法において、前記パスが複数存在する場合、一番遅れたパスに同期を合わせ受信フレーム同期を行うステップまたは一番早いパスに同期を合わせ送信フレーム同期を行うステップを更に含んでいる。
【００２６】
この第３の発明によれば、複数パスが接続状態にて受信フレーム同期または送信フレーム同期を可能とするフレーム同期方法を提供できる。
【００２７】
第４の発明は、第１の発明に記載のフレーム同期方法において、前記パスに新たにパスが追加される場合、前記パスより遅いパス追加では受信フレーム同期を行うステップまたは前記パスより早いパス追加では送信フレーム同期を行うステップを更に含んでいる。
【００２８】
この第４の発明によれば、ユーザが自セルから他セルヘ移動する際に、新規パスがもともとのパスフレーム同期状態より遅延している場合と遅延していない場合に応じてフレーム同期の更新を可能とするフレーム同期方法を提供できる。
【００２９】
第５の発明は、無線基地局との間でフレーム同期を行う基地局制御装置において、前記基地局制御装置内のチャネルカードごとに設けられた自走カウンタと、ユーザが使用する伝送経路であるパスごとの接続位相を送信元から送られてくる送信フレーム番号から抽出する手段と、前記パスごとの接続位相と前記自走カウンタの自走フレームとの位相差を用いて自己同期を確立する手段と、を有している。
【００３０】
この第５の発明によれば、装置のマスタフレームカウンタと、各カードにカウンタ値を伝達する経路や制御装置が不要となり、メンテナンスの簡単な基地局制御装置を提供できる。
【発明の効果】
【００３１】
以上、本発明のフレーム同期方法および移動通信システムによれば、装置のマスタフレームカウンタが不要となり、且つ、各カードにカウンタ値を伝達する経路や制御も要らなくなる。
【００３２】
マスタフレームカウンタを搭載するカードは、装置で共用するため、これが故障すると装置全体に影響するため、通常二重化等の対策を取り、その同期切替制御等で回路は複雑となる。本発明では、そのようなカード自体が不要なため、二重化も切替制御もフレームカウンタ値を伝達する経路も不要で、構造が簡単になるため、設計・保守が簡単・安価となる利点がある。
【００３３】
また、装置間のフレーム同期確立手順を省くことができる。すなわち、装置間でのフレーム同期確立がなく、相手装置の信号から自装置内だけで同期を取れるため、装置間を行きかう信号数を減らせる。その結果、無線基地局は、同期確立手順をアプリケーションに搭載する必要がなくなり処理が簡単化でき、基地局制御装置は、同期確立が装置内の処理に閉じるためフレーム同期手順の高速化が図れる。
【００３４】
更に、同期追従性が良い。すなわち、今までの同期確立手順では、同期確立後、無線基地局側である程度（受信windowを外れる程度) の位相ズレを検出した際に、位相を補正する手順が行われるが、本発明では、上り信号を受信する度にフレーム同期情報を更新するため、常に最新の位相状態に保たれ改めて位相補正手順を考慮する必要がない。また、従来と比較し一度に大きな位相変化がないため、タイミング飛びによる信号のロスや、そのための対処（遅延用途のバッファリング）が必要ない。
【発明を実施するための最良の形態】
【００３５】
以下、本発明の実施の形態について、図を参照しながら説明する。
【００３６】
図１は、本発明の一実施形態におけるチャネルカードのブロック構成図である。同図において、７は基地局制御装置内に設けられた複数のチャネルカードである。各チャネルカード７の構成は、データの送受信および位相管理を行うＣＰＵ７１と、位相情報など各チャネルのフレーム同期情報データを格納するメモリ７２と、チャネルカードのリセット解除で自走する自走カウンタ７３と、送信機能部７４と、受信機能部７５と、他機能部７６をそれぞれ有し、各々の装置は共通バス上に接続されている。
【００３７】
図２は、本発明の一実施形態における移動通信システムの呼接続手順タイムチャートである。本発明では、同図に示されるように、無線基地局と無線基地局制御装置間でのフレーム同期確立の必要がなく、相手装置の信号から自装置内だけで同期が取れる。以下、共通制御チャネルにて通信開始、個別制御チャネルに遷移し呼設定、および個別ユーザチャネルに遷移して通話開始、の各接続手順におけるフレーム同期の手順を説明する。
（１）共通制御チャネルにて通信開始
(1-1）交換局より無線基地局へ呼び出し信号が送られる。
(1-2）これを受け、無線基地局は、無線リンク接続要求を基地局制御装置へ送る。
(1-3）基地局制御装置は、相手フレーム番号（ＦＮ）を受信することによって、フレーム同期を確立する。
（注）通信時に必要なＣＦＮに相当するフレーム番号（ＦＮ）は、上述の配下カード毎の自走カウンタで、基地局装置からの信号に付与されているＢＦＮ（ＣＦＮ）に従属同期する方法をとる。
（２）個別制御チャネルに遷移して呼設定
(2-1) 基地局制御装置より無線基地局へ無線リンク接続設定信号が送られる。
(2-2）これを受け、無線基地局は、無線リンク接続設定完了信号を基地局制御装置へ送る。
(2-3) 基地局制御装置は、相手フレーム番号（ＦＮ）を受信することによって、フレーム同期（更新）を確立する。
(2-4）交換局より基地局制御装置を経由して交換局へ呼び出し応答信号が送られる。
(2-5）基地局制御装置は、相手フレーム番号（ＦＮ）を受信することによって、フレーム同期（更新）を確立する。
(2-6）交換局より無線基地局へ認証要求信号が送られる。
(2-7）これを受け、無線基地局は、認証応答信号を基地局制御装置を経由して交換局へ送る。
(2-8) 基地局制御装置は、相手フレーム番号（ＦＮ）を受信することによって、フレーム同期（更新）を確立する。
(2-9）交換局より無線基地局へ秘匿設定信号が送られる。
(2-10)これを受け、無線基地局は、秘匿設定完了信号を基地局制御装置を経由して交換局へ送る。
(2-11)基地局制御装置は、相手フレーム番号（ＦＮ）を受信することによって、フレーム同期（更新）を確立する。
(2-12)交換局より無線基地局へ呼設定信号が送られる。
(2-13)これを受け、無線基地局は、呼設定受付信号を基地局制御装置を経由して交換局へ送る。
(2-14)基地局制御装置は、相手フレーム番号（ＦＮ）を受信することによって、フレーム同期（更新）を確立する。
（３）個別ユーザチャネルに遷移して通話開始
(3-1) 交換局より無線基地局へ無線ベアラ設定信号が送られる。
(3-2) これを受け、無線基地局は、無線ベアラ設定完了信号を基地局制御装置を経由して交換局へ送るとともに、アラート信号と呼接続信号を交換局へ送る。
(3-3) 基地局制御装置は、無線ベアラ設定完了信号、アラート信号および呼接続信号を受信する都度、相手フレーム番号（ＦＮ）を受信することによって、フレーム同期（更新）を確立する。
(3-4) 交換局より無線基地局へ呼接続応答信号が送られる。
(3-5) 無線基地局と交換局とは通話中に入る。
【００３８】
図３は、本発明の一実施形態におけるフレーム同期手順（受信同期）の説明図である。（ａ）１パス接続の場合
本例ではユーザａパス１が接続されたときの例を示す。なお、ユーザａパス１のフレーム番号（ＦＮ）は、データ送出のたびにインクリメントされている。
【００３９】
自走フレーム番号と受信フレーム番号（ＦＮ）の差分（ユ−ザオフセットｒ）＝１１−２＝９は、ユーザ毎に管理情報としてオフセットで保持しておく。
【００４０】
・受信フレーム同期（ユーザａ）＝（自走フレーム番号＋ユーザオフセットｒ＋［システムオフセットｒ] ＋ＦＮmax ）modＦＮmax ＝（２＋９＋０＋ＦＮmax ）modＦＮmax ＝１１
一旦相手受信フレーム番号（ＦＮ）を受信することで、該当ユーザの同期が取られ、以降相手側から受信フレームを受信しなくても自走フレーム番号とユーザオフセットｒ、システムオフセットｒから割り出すことが可能となる。またユーザオフセットｒは、相手受信フレームを受信する度に更新し、最新状態に保つ。
（ｂ）２パス同時接続の場合
本例ではユーザａパスが方路追加されたとき同時接続の例を示す。なお、パス１とパス２のＦＮには位相差・があるとする。ここではＦＮで１カウント分（１０ｍｓ）とする。
【００４１】
複数パス存在する場合は、一番遅れたパスに合わせる。本例ではパス２に合わせることになる。
【００４２】
同図において、パス１の自走フレームとの差分＝１１−２＝９、パス２の自走フレームとの差分＝１０−２＝８となる。ここで、符号付で数値の小さい方を遅れたパスと判断し、これをユーザオフセットｒとする。
【００４３】
・受信フレーム同期（ユーザａ）＝（自走フレーム番号＋ユーザオフセットｒ＋［システムオフセットｒ] ＋ＦＮmax ）modＦＮmax ＝（２＋８＋０＋ＦＮmax ）modＦＮmax ＝１０
以上のように、受信同期は、基地局制御装置が相手フレーム番号（ＦＮ）を受信することによってフレーム同期を確立する。その際、基地局制御装置はユーザ単位に、接続情報を記憶し、ユーザがどこの伝送経路を使用しているかをパスという単位で管理する。パス毎の接続位相は、通信経路により差分が生じるため通信路毎に位相情報を測定する必要がある。位相情報は相手から送られてくる送信フレーム番号（ＦＮ）から抽出し、自走フレームとの位相差（ユーザオフセットr)を用いて自己同期を確保する。このとき受信する送信フレーム番号（ＦＮ）は、移動機単位、パス単位にずれているが、一番フレーム番号が遅れるパスに待ち合わせすれば全て吸収できることになる。システム内で遅延が発生する場合は、システムオフセットｒとして、設定可能なオフセットを与えることも可能である。このフレーム同期方法は、自走フレームで同期する方法のため常に相手とは非同期関係にあるが、この同期手順を受信の都度行うことで、常に位相追従される。
【００４４】
図４は、本発明の一実施形態における一番遅れたパス判定のフローチャートである。
【００４５】
Ｓ１．自走フレームに変化があったか否かを判断する。
【００４６】
Ｓ２．自走フレームに変化があった場合は、受信フラグがＯＮ状態か否かを判断する。      
【００４７】
Ｓ３．受信フラグがＯＮ状態の場合は、ユーザオフセットｒを更新し、ユーザオフセットｒ＝差分r_tempに補正する。
【００４８】
Ｓ４．受信フラグをＯＦＦ状態にし、差分r_now 、差分r_tempをクリアする。
【００４９】
Ｓ５. フレームが受信されたか否かを判断する。
【００５０】
Ｓ６．受信フレーム番号（ＦＮ）と自走フレームとの差分（差分r_now ＝受信ＦＮ−自走フレーム番号）を算出する。実際にはフレーム跨ぎの補正を行う。
【００５１】
（フレーム跨ぎの補正）
・−ＦＮMAX ／２＜差分r_now ≦ＦＮMAX ／２の時は、差分r_now ＝差分r_now とし、  ・差分r_now ≦−ＦＮMAX ／２の時は、差分r_now ＝差分r_now ＋ＦＮMAX とし、
・差分r_now ＞ＦＮMAX ／２の時は、差分r_now ＝差分r_now −ＦＮMAX とする。
【００５２】
Ｓ７．受信フラグがＯＮ状態か否かを判断する。
【００５３】
Ｓ８．受信フラグがＯＮ状態の場合は、差分r_now ＜差分r_tempであるか否かを判断する。
【００５４】
Ｓ９．差分r_now ＜差分r_tempの場合は、差分r_tempを更新し、差分r_temp＝差分r_now に補正する。
【００５５】
Ｓ１０．受信フラグがＯＮ状態でない場合は、差分r_tempを更新し、差分r_temp＝差分r_now に補正する。
【００５６】
Ｓ１１．受信フラグをＯＮ状態にする。
【００５７】
図５は、本発明の一実施形態におけるフレーム同期手順（送信同期）の説明図である。なお、１パスの場合は、受信同期の場合と同様のイメージのため省略する。
（ａ）全パス接続（２パス接続での場合）
本例ではユーザａパスが方路追加されたとき同時接続の例を示す。なお、パス１とパス２のＦＮには位相差があるとする。ここではＦＮで１カウント分（１０ｍｓ）とする。複数パス存在する場合は、一番早いパスに合わせる。本例ではパス１に合わせることになる。
【００５８】
同図において、パス１の自走フレームとの差分＝１１−２＝９、パス２の自走フレームとの差分＝１０−２＝８となる。ここで、符号付で数値の大きい方を遅れたパスと判断し、これをユーザオフセットｔとする。
【００５９】
・送信受信フレーム同期（ユーザａ）＝（自走フレーム番号＋ユーザオフセットｔ＋［システムオフセットｔ] ＋ＦＮmax ）modeＦＮmax ＝（２＋９＋０＋ＦＮmax ）modeＦＮmax ＝１１
送信側では、受信したＦＮの一番早いパスに同期することで、一番早いパスへの送信で遅着を防ぐことができる。この例では、自走フレーム３のポイントで送信する際にＦＮ＝１２で送信すれば、パス１はＦＮ＝１２で丁度、パス２はＦＮ＝１１で1 フレーム前に受信できる。さらに、システム遅延を考慮し、システムオフセットt をオプションとして付け加えることも可能である。
（ｂ）パス毎制御（２パス接続での場合）
条件は、前項の全パス接続（２パス接続での場合）と同じである。
【００６０】
・送信フレーム同期（ユーザａパス１）＝（自走フレーム番号＋ユーザオフセットｔ1 ＋［システムオフセットｔ] ＋ＦＮmax ）modＦＮmax ＝（２＋９＋０＋ＦＮmax ）modＦＮmax ＝１１
・送信フレーム同期（ユーザａパス２）＝（自走フレーム番号＋ユーザオフセットｔ2 ＋［システムオフセットｔ] ＋ＦＮmax ）modＦＮmax ＝（２＋８＋０＋ＦＮmax ）modＦＮmax ＝１０
送信側では、パス毎にユーザオフセットを管理し、それぞれ最適タイミングで送信する。この例では、自走フレーム３のポイントで送信する際、パス１はＦＮ＝１２で送信、パス２はＦＮ＝１１で送信し、それぞれの最適タイミングとなる。さらにシステム遅延を考慮し、システムオフセットt を付けることも可能である。
【００６１】
以上のように、送信同期は、受信同期と基本的には同じである。相手フレーム番号(FN)を受信することによって、フレーム同期を確立する。ユーザ単位に、接続情報を記憶し、ユーザがどこの伝送経路を使用しているかをパスという単位で管理する。パス毎の接続位相は通信経路により差分が生じるため通信路毎に位相情報を測定する必要がある。位相情報は相手から送られてくる送信フレーム番号（ＦＮ）から抽出し、自走フレームとの位相差（ユーザオフセットt)を用いて自己同期を確保する。但し、送信側は受信側と異なり、パス毎のずれに対し一番早いパスに合わせる。これは一番早いパスへの送信でも相手側で遅着を起こさないためである。または別の方法として、パス毎にユーザオフセットtxを管理することで、パスそれぞれに最適なタイミングで送信することも可能である。ここにシステムの遅延時間等の調整のため、設定可能なシステムオフセットt を付けることは受信側と同じく可能である。このフレーム同期方法は、自走フレームで同期する方法のため常に相手とは非同期関係にあるが、この同期手順を受信の都度行うことで、常に位相追従される。
【００６２】
図６は、本発明の一実施形態における一番早いパス判定のフローチャートである。
【００６３】
Ｓ１２．自走フレームに変化があったか否かを判断する。
【００６４】
Ｓ１３．自走フレームに変化があった場合は、受信フラグがＯＮ状態か否かを判断する。
【００６５】
Ｓ１４．受信フラグがＯＮ状態の場合は、ユーザオフセットｔを更新し、ユーザオフセットｔ＝差分t_tempに補正する。
【００６６】
Ｓ１５．受信フラグをＯＦＦ状態にし、差分t_now 、差分t_tempをクリアする。
【００６７】
Ｓ１６. フレームが受信されたか否かを判断する。
【００６８】
Ｓ１７．受信フレーム番号（ＦＮ）と自走フレームとの差分（差分t_now ＝受信ＦＮ−自走フレーム番号）を算出する。実際にはフレーム跨ぎの補正を行う。
【００６９】
（フレーム跨ぎの補正）
・−ＦＮMAX ／２＜差分t_now ≦ＦＮMAX ／２の時は、差分t_now ＝差分t_now とし、  ・差分t_now ≦−ＦＮMAX ／２の時は、差分t_now ＝差分t_now ＋ＦＮMAX とし、
・差分t_now ＞ＦＮMAX ／２の時は、差分t_now ＝差分t_now −ＦＮMAX とする。
【００７０】
Ｓ１８．受信フラグがＯＮ状態か否かを判断する。
【００７１】
Ｓ１９．受信フラグがＯＮ状態の場合は、差分t_now ＞差分t_tempであるか否かを判断する。
【００７２】
Ｓ２０．差分t_now ＞差分t_tempの場合は、差分t_tempを更新し、差分t_temp＝差分t_now に補正する。
【００７３】
Ｓ２１．受信フラグがＯＮ状態でない場合は、差分t_tempを更新し、差分t_temp＝差分t_now に補正する。
【００７４】
Ｓ２２．受信フラグをＯＮ状態にする。
【００７５】
図７は、本発明の一実施形態におけるパスが追加される場合の説明図である。
（ａ）遅いパスが追加される場合
もともと２パスでのフレーム同期から新規パス３が追加された場合であり、２パスフレーム同期状態より新規パスが遅延している場合を示す。
【００７６】
・受信フレーム同期（ユーザａ）＝（自走フレーム番号＋ユーザオフセットｒ＋［システムオフセットｒ] ＋ＦＮmax ）modＦＮmax ＝（３＋（（２５４−３）−２５６）＋（−１）＋２５６）mod２５６＝２５３
・送信フレーム同期（ユーザａ）＝（自走フレーム番号＋ユーザオフセットｔ＋［システムオフセットｔ] ＋ＦＮmax ）modＦＮmax ＝（３＋（１−３）＋１−２５６）mod２５６＝２
この場合，遅いパス追加にて、受信フレーム同期更新がなされる。
【００７７】
注）システムオフセットｒは−１０ｍｓ（１カウント分）とし、システムオフセットｔは＋１０ｍｓ（１カウント分）する。
【００７８】
この場合，遅いパス追加にて、受信フレーム同期更新が成される。
（ｂ）早いパスが追加される場合
もともと２パスでのフレーム同期から新規パス３が追加された場合であり、２パスフレーム同期状態より新規パスが遅延していない場合を示す。
・受信フレーム同期（ユーザａ）＝（自走フレーム番号＋ユーザオフセットｒ＋［システムオフセットｒ] ＋ＦＮmax ）modＦＮmax ＝（３＋（（０−３）−２５６）＋（−１）＋２５６）mod２５６＝２５５
・送信フレーム同期（ユーザａ）＝（自走フレーム番号＋ユーザオフセットｔ＋［システムオフセットｔ] ＋ＦＮmax ）modＦＮmax ＝（３＋（２−３）＋１＋２５６）mod２５６＝３
この場合、早いパス追加にて送信フレーム同期更新がなされる。
【００７９】
注）システムオフセットｒは−１０ｍｓ（１カウント分）とし、システムオフセットｔは＋１０ｍｓ（１カウント分）する。
【００８０】
以上のとおり、ユーザが自セルから移動していき他セルへ移動すると、これまで同期確保された環境から、再同期する必要が生じる。移動先の遅延時間は、事前に測定しているわけでないため、やはりパスＮが追加されたときに判断することになる。
【００８１】
以上の実施例を含む実施形態に関し、更に以下の付記を開示する。
（付記１）  無線基地局と基地局制御装置との間のフレーム同期方法において、前記基地局制御装置内のチャネルカードごとに設けられた自走カウンタの自走フレーム番号を生成するステップと、ユーザが使用する伝送経路のパスごとの接続位相を送信元から送られてくる送信フレーム番号から抽出するステップと、前記パスごとの接続位相と前記自走カウンタの自走フレームとの位相差を用いて自己同期を確立するステップと、を含むことを特徴とするフレーム同期方法。
（付記２）  付記１記載のフレーム同期方法において、前記自己同期を確立するステップは、ユーザごとに前記自走フレームと前記受信フレーム番号との位相差分を計算してユーザオフセット値とすることを特徴とするフレーム同期方法。
（付記３）  付記１記載のフレーム同期方法において、前記パスが複数存在する場合、一番遅れたパスに同期を合わせ受信フレーム同期を行うステップまたは一番早いパスに同期を合わせ送信フレーム同期を行うステップを更に含むことを特徴とするフレーム同期方法。
（付記４）  付記１記載のフレーム同期方法において、前記パスに新たにパスが追加される場合、前記パスより遅いパス追加では受信フレーム同期を行うステップまたは前記パスより早いパス追加では送信フレーム同期を行うステップを更に含むことを特徴とするフレーム同期方法。
（付記５）  無線基地局との間でフレーム同期を行う基地局制御装置において、前記基地局制御装置内のチャネルカードごとに設けられた自走カウンタと、ユーザが使用する伝送経路であるパスごとの接続位相を送信元から送られてくる送信フレーム番号から抽出する手段と、前記パスごとの接続位相と前記自走カウンタの自走フレームとの位相差を用いて自己同期を確立する手段と、を有することを特徴とする基地局制御装置。
（付記６）  付記５記載の基地局制御装置において、ユーザごとに前記自走フレームと前記受信フレーム番号との位相差分を計算してユーザオフセット値とすることを特徴とする基地局制御装置。
（付記７）  付記５記載の基地局制御装置において、前記パスが複数存在する場合に、一番遅れたパスに同期を合わせ受信フレーム同期を行うことを特徴とする基地局制御装置。
（付記８）  付記５記載の基地局制御装置において、前記パスが複数存在する場合に、一番早いパスに同期を合わせ送信フレーム同期を行うことを特徴とする基地局制御装置。
【産業上の利用可能性】
【００８２】
本発明は、無線基地局との間でフレーム同期を行う基地局制御装置にて、従来必要としたマスタフレームカウンタを設けることなく、そのカウント値を伝達する経路や制御を省くことができ、また、装置間でのフレーム同期確立手順を省くことができる。さらに、同期追従性が良いため、一度に大きな位相変化が生じない。そのため、保守が簡単になり、フレーム同期手順の高速化を必要とする移動通信システムの基地局制御装置において、利用できる。
【図面の簡単な説明】
【００８３】
【図１】本発明の一実施形態におけるチャネルカードのブロック構成図である。
【図２】本発明の一実施形態における移動通信システムの呼接続手順タイムチャートである。
【図３】本発明の一実施形態におけるフレーム同期手順（受信同期）の説明図である。
【図４】本発明の一実施形態における一番遅れたパス判定のフローチャートである。
【図５】本発明の一実施形態におけるフレーム同期手順（送信同期）の説明図である。
【図６】本発明の一実施形態における一番早いパス判定のフローチャートである。
【図７】本発明の一実施形態におけるパスが追加される場合の説明図である。
【図８】一般的な移動通信システム（Ｗ−ＣＤＭＡシステムの場合）の構成図である。
【図９】従来技術による無線基地局と基地局制御装置間のフレーム同期確立手順の説明図である。
【図１０】従来技術による基地局制御装置内におけるマスタフレームカウンタとチャネルカードとの関係を示す図である。
【符号の説明】
【００８４】
１    無線移動局装置（ＭＳ）  
２    無線基地局装置（ＮｏｄｅＢ）
３    無線ネットワーク制御装置（ＲＮＣ）
４    マルチメディア信号処理装置（ＭＰＥ）
５    移動マルチメディア交換システム
６    マスタフレームカウンタ
７    チャネルカード
７１    ＣＰＵ
７２    メモリ
７３    自走カウンタ
７４    送信機能部
７５    受信機能部
７６    他機能部
【図１】
0004924322.tif 000002
【図２】
0004924322.tif 000003
【図３】
0004924322.tif 000004
【図４】
0004924322.tif 000005
【図５】
0004924322.tif 000006
【図６】
0004924322.tif 000007
【図７】
0004924322.tif 000008
【図８】
0004924322.tif 000009
【図９】
0004924322.tif 000010
【図１０】
0004924322.tif 000011